(57)【特許請求の範囲】
【請求項１】
中心軸の周りを周る周方向に分散して配置され、３個以上の対を備え、前記３個以上の対の各々が一方の色センシング部および他方の色センシング部を備え、前記３個以上の対の各々において前記他方の色センシング部が前記中心軸について前記一方の色センシング部と対称に配置され前記一方の色センシング部が有する分光感度と同じ分光感度を有し、前記３個以上の対の各々において前記一方の色センシング部が第１の光線束に応じた第１の信号を出力し前記他方の色センシング部が第２の光線束に応じた第２の信号を出力する６個以上の色センシング部と、
前記中心軸上に配置され、第３の光線束に応じた第３の信号を出力するセンシング部と、
前記３個以上の対の各々について前記第１の信号および前記第２の信号を処理し、第１の処理された信号を出力する第１の信号処理回路と、
前記第１の信号処理回路とは別の、前記第３の信号を処理し、第２の処理された信号を出力する第２の信号処理回路と、
前記第１の処理された信号から測光または測色の結果を得、前記第２の処理された信号から前記測光または測色の結果とは別の測定の結果を得る演算部と、
前記３個以上の対の各々について前記一方の色センシング部および前記他方の色センシング部にそれぞれ前記第１の光線束および前記第２の光線束を導き、前記センシング部に前記第３の光線束を導く測定用光学系と、
を備える測光または測色のための装置。
【請求項２】
前記測定の結果は、フリッカーの測定の結果である
請求項１の測光または測色のための装置。
【請求項３】
前記３個以上の対は、第１の対、第２の対および第３の対を備え、
前記第１の対に備えられる一方の色センシング部および他方の色センシング部の各々は、等色関数のＸ成分に対応する分光感度を有し、
前記第２の対に備えられる一方の色センシング部および他方の色センシング部の各々は、等色関数のＹ成分に対応する分光感度を有し、
前記第３の対に備えられる一方の色センシング部および他方の色センシング部の各々は、等色関数のＺ成分に対応する分光感度を有する
請求項１または２の測光または測色のための装置。
【請求項４】
前記３個以上の対は、１個の対を備え、
前記１個の対に備えられる一方の色センシング部は、
前記第１の光線束を透過させ、第１の透過光線束を生成する第１の色フィルターと、
前記第１の透過光線束に応じた信号を出力する第１の受光センサーと、
を備え、
前記１個の対に備えられる他方の色センシング部は、
前記第２の光線束を透過させ、第２の透過光線束を生成する第２の色フィルターと、
前記第２の透過光線束に応じた信号を出力する第２の受光センサーと、
を備え、
前記センシング部は、
前記第１の色フィルターおよび前記第２の色フィルターと一体化され、前記第３の光線束を透過させ、第３の透過光線束を生成する第３の色フィルターと、
前記第３の透過光線束に応じた信号を出力する第３の受光センサーと、
を備える
請求項１から３までのいずれかの測光または測色のための装置。
【請求項５】
前記測定用光学系は、前記中心軸と一致する光軸を有する
請求項１から４までのいずれかの測光または測色のための装置。
【発明の詳細な説明】
【技術分野】
【０００１】
本発明は、測光または測色のための装置であって測光または測色の結果とは別の測定の結果を得ることができるものに関する。
【背景技術】
【０００２】
測光または測色のための装置においては、被測定物から到来する光における配光の変動により測光または測色の結果が変動することを抑制するために、バンドルファイバーにより光を色センシング部に導く技術が用いられる。当該技術は、対物レンズを通過した光を色センシング部に効率的に導くことにも寄与する。しかし、当該技術は、測光または測色のための装置が大きくなるという欠点および測光または測色のための装置のコストが高くなるという欠点を有する。
【０００３】
特許文献１には、バンドルファイバーを用いずに配光の変動により測光または測色の結果が変動することを抑制する技術が記載されている。特許文献１に記載された技術においては、第２の受光部が、中心面法線について第１の受光部と対称に配置され、第１の受光部が有する分光感度特性と同じ分光感度特性を有する（段落００１７、図４および図５）。これにより、配光の変動により第１の受光部に導かれる光線束が減少した場合は第２の受光部に導かれる光線束が増加し、第１の受光部により出力されるアナログ信号および第２の受光部により出力されるアナログ信号から配光の変動の影響が抑制された測光または測色の結果が得られる（図１９）。
【先行技術文献】
【特許文献】
【０００４】
【特許文献１】特開２０００−２２１１０９号公報
【発明の概要】
【発明が解決しようとする課題】
【０００５】
測光または測色のための装置において、測光または測色の結果に加えて測光または測色の結果とは別の測定の結果を得ることが望まれる場合がある。例えば、フリッカーの測定の結果を得ることが望まれる場合がある。また、測光または測色のための装置において測光または測色の結果とは別の測定の結果を得るためには、測光または測色のための装置が当該測定の結果を得るためのセンシング部を備える必要がある。しかし、当該センシング部により測光または測色のための装置が大きくなることは望まれない。
【０００６】
下記の発明は、この問題を解決するためになされる。下記の発明が解決しようとする課題は、配光の変動により測光または測色の結果が変動することを抑制するとともに、測光または測色のための装置を大きくすることなく測光または測色の結果とは別の測定の結果を得ることである。
【課題を解決するための手段】
【０００７】
測光または測色のための装置において、６個以上の色センシング部が中心軸の周りを周る周方向に分散して配置され、センシング部が中心軸上に配置される。
【０００８】
６個以上の色センシング部は、３個以上の対を備える。３個以上の対の各々は、一方の色センシング部および他方の色センシング部を備える。３個以上の対の各々においては、一方の色センシング部が、中心軸について他方の色センシング部と対称に配置され、他方の色センシング部が有する分光感度と同じ分光感度を有する。３個以上の対の各々においては、一方の色センシング部が第１の光線束に応じた第１の信号を出力し、他方の色センシング部が第２の光線束に応じた第２の信号を出力する。
【０００９】
センシング部は、第３の光線束に応じた第３の信号を出力する。
【００１０】
第３の信号を処理する第２の信号処理回路は、３個以上の対の各々について第１の信号および第２の信号を処理する第１の信号処理回路とは別のものである。
【００１１】
演算部は、第１の信号処理回路により処理された信号から測光または測色の結果を得、第２の信号処理回路により処理された信号から当該測光または測色の結果とは別の測定の結果を得る。
【００１２】
測定用光学系は、３個以上の対の各々について第１の光線束および第２の光線束をそれぞれ一方の色センシング部および他方の色センシング部に導き、第３の光線束をセンシング部に導く。
【発明の効果】
【００１３】
下記の発明によれば、配光の変動による測光または測色の結果の変動が抑制される。
【００１４】
加えて、下記の発明によれば、測光または測色の結果とは別の測定の結果を得るために備えられるセンシング部に光線束を導くために照射径を大きくする必要がない。これにより、測光または測色のための装置を大きくすることなく測光または測色の結果とは別の測定の結果が得られる。
【００１５】
これらの及びこれら以外の発明の目的、特徴、局面及び利点は、下記の発明の詳細な説明を図面とともに考慮することより、より明白になる。
【図面の簡単な説明】
【００１６】
【図１】色彩計の外観を示す斜視図である。
【図２】色彩計の内部構造を示すブロック図である。
【図３】受光ユニットを示す正面図である。
【図４】受光ユニットを示す断面図である。
【図５】受光ユニットを示す断面図である。
【図６】受光ユニットを示す断面図である。
【図７】受光センサーと増幅回路との電気的接続を示す回路図である。
【図８】測定用光学系における光線の軌跡を示す模式図である。
【図９】測定用光学系における光線の軌跡を示す模式図である。
【図１０】受光ユニットの変形例を示す正面図である。
【図１１】受光ユニットの変形例を示す断面図である。
【発明を実施するための形態】
【００１７】
１  色彩計の外観
図１は、この実施形態の色彩計の外観を示す模式図である。図１は、斜視図である。
【００１８】
図１に示される色彩計１０００は、刺激値直読方式により測光および測色を行う測光および測色のための装置である。測光のための装置において下記の技術が採用されてもよい。測色のための装置において下記の技術が採用されてもよい。一般的には、測光または測色のための装置において下記の技術が採用される。
【００１９】
色彩計１０００は、測定プローブ１０１０、ケーブル１０１２および計測器本体１０１４を備える。
【００２０】
測定プローブ１０１０は、被測定面１０２０に対向し、被測定面１０２０の一部を占める被測定領域１０３０から到来する光を受光し、受光した光に応じた信号を出力する。被測定面１０２０は、液晶ディスプレイの表示面である。被測定面１０２０が液晶ディスプレイの表示面以外の面であってもよい。
【００２１】
ケーブル１０１２は、測定プローブ１０１０を計測器本体１０１４に電気的に接続し、測定プローブ１０１０により出力された信号を計測器本体１０１４へ伝送する。これにより、計測器本体１０１４には、測定プローブ１０１０により出力された信号が入力される。信号が無線通信により伝送されてもよい。ケーブル１０１２が省略され、測定プローブ１０１０および計測器本体１０１４が一体化されてもよい。
【００２２】
計測器本体１０１４は、入力された信号から測光値および測色値を得、得られた測光値および測色値を表示する。測光値および測色値は、マンセル表色系、Ｌ＊Ａ＊Ｂ＊表色系、Ｌ＊Ｃ＊ｈ＊表色系、ハンターＬａｂ表色系、ＸＹＺ（Ｙｘｙ）表色系等により表現される。測色値が相関色温度等により表現されてもよい。測光値および測色値以外の測光および測色の結果が得られてもよい。例えば、測光値および測色値が基準を満たしているか否かの判定結果、色差値等が得られてもよい。
【００２３】
計測器本体１０１４は、入力された信号からフリッカーの測定の結果を得、得られたフリッカーの測定の結果を表示する。フリッカーの測定は、ＪＥＩＴＡ方式等のフリッカーレベル、フリッカーの点滅周波数、デューティー比等の測定である。フリッカーの測定の結果以外の測定の結果が得られてもよい。例えば、赤外線または紫外線の強度の測定の結果、偏光の測定の結果等が得られてもよい。
【００２４】
２  色彩計の内部構造
図２は、この実施形態の色彩計の内部構造を示すブロック図である。
【００２５】
図２に示されるように、測定プローブ１０１０は、対物レンズ１１００、受光ユニット１１０２、信号伝送部１１０４および増幅部１１０６を備える。測定プローブ１０１０がこれらの構成物以外の構成物を備えてもよい。
【００２６】
信号伝送部１１０４は、信号線１１１１，１１１２，１１１３および１１１４を備える。
【００２７】
増幅部１１０６は、増幅回路１１２１，１１２２，１１２３および１１２４を備える。
【００２８】
計測器本体１０１４は、Ａ／Ｄ変換部１２００、データーメモリー１２０２、データー処理部１２０４、表示部１２０６、制御部１２０８、電源部１２１０および操作部１２１２を備える。計測器本体１０１４がこれらの構成物以外の構成物を備えてもよい。
【００２９】
Ａ／Ｄ変換部１２００は、Ａ／Ｄ変換回路１２２１，１２２２，１２２３および１２２４を備える。
【００３０】
対物レンズ１１００は、正の光学パワーを有し、被測定領域１０３０から到来する光を集光し受光ユニット１１０２へ導く。対物レンズ１１００からなる対物光学系が他の種類の対物光学系に置き換えられてもよい。例えば、対物レンズ１１００からなる対物光学系が、対物レンズおよび他の光学素子からなる対物光学系に置き換えられてもよい。他の光学素子は、絞り、ミラー、バンドルファイバー、プリズム、偏光板等である。
【００３１】
受光ユニット１１０２は、測光および測色のための信号Ｓ１１，Ｓ１２，Ｓ１３，Ｓ１４，Ｓ１５およびＳ１６を出力する。信号Ｓ１１およびＳ１２の各々は、導かれてきた光に含まれるＸ成分の強度に応じた大きさを有する。信号Ｓ１３およびＳ１４の各々は、導かれてきた光に含まれるＹ成分の強度に応じた大きさを有する。信号Ｓ１５およびＳ１６の各々は、導かれてきた光に含まれるＺ成分の強度に応じた大きさを有する。
【００３２】
受光ユニット１１０２は、フリッカーの測定のための信号Ｓ１７を出力する。信号Ｓ１７は、導かれてきた光に含まれるＹ成分の強度に応じた大きさを有する。
【００３３】
信号線１１１１は、信号Ｓ１１およびＳ１２を伝送し、伝送されてきた信号Ｓ１１およびＳ１２を合流させ、信号Ｓ１１およびＳ１２を合流させることにより得られる信号Ｓ２１をさらに伝送する。信号線１１１２は、信号Ｓ１３およびＳ１４を伝送し、伝送されてきた信号Ｓ１３およびＳ１４を合流させ、信号Ｓ１３およびＳ１４を合流させることにより得られる信号Ｓ２２をさらに伝送する。信号線１１１３は、信号Ｓ１５およびＳ１６を伝送し、伝送されてきた信号Ｓ１５およびＳ１６を合流させ、信号Ｓ１５およびＳ１６を合流させることにより得られる信号Ｓ２３をさらに伝送する。
【００３４】
信号線１１１４は、信号Ｓ１７を伝送する。
【００３５】
増幅回路１１２１，１１２２および１１２３は、それぞれ伝送されてきた信号Ｓ２１，Ｓ２２およびＳ２３を増幅し、それぞれ増幅された信号Ｓ３１，Ｓ３２およびＳ３３を出力する。
【００３６】
増幅回路１１２４は、伝送されてきた信号Ｓ１７を増幅し、増幅された信号Ｓ３４を出力する。
【００３７】
Ａ／Ｄ変換回路１２２１，１２２２および１２２３は、それぞれ増幅された信号Ｓ３１，Ｓ３２およびＳ３３をアナログ電気信号からデジタル電気信号に変換し、それぞれ変換されたデジタル電気信号により表現される信号値Ｘ，ＹおよびＺを出力する。
【００３８】
Ａ／Ｄ変換回路１２２４は、増幅された信号Ｓ３４をアナログ電気信号からデジタル電気信号に変換し、変換されたデジタル電気信号により表現される信号値Ｆを出力する。
【００３９】
これにより、増幅回路１１２１，１１２２および１１２３ならびにＡ／Ｄ変換回路１２２１，１２２２および１２２３は、信号Ｓ１１，Ｓ１２，Ｓ１３，Ｓ１４，Ｓ１５およびＳ１６を処理し信号値Ｘ，ＹおよびＺを出力する、測光および測色のための信号処理回路を構成する。
【００４０】
また、増幅回路１１２４およびＡ／Ｄ変換回路１２２４は、信号Ｓ１７を処理し信号値Ｆを出力する、フリッカーの測定のための信号処理回路を構成する。フリッカーの測定のための信号処理回路は、測光および測色のための信号処理回路とは別の回路である。これにより、信号Ｓ１７に対して、フリッカーの測定に適した処理を行うことができる。
【００４１】
信号値Ｘの取得においては、２個の信号Ｓ１１およびＳ１２を合流させることにより得られる１個の信号Ｓ２１が増幅され、１個の増幅された信号Ｓ３１が１個の信号値Ｘに変換される。しかし、２個の信号Ｓ１１およびＳ１２の各々が増幅され、２個の増幅された信号を合流させることにより得られる１個の信号が１個の信号値に変換されてもよい。また、２個の信号Ｓ１１およびＳ１２の各々が増幅され、２個の増幅された信号の各々が信号値に変換され、２個の信号値を合算することより１個の信号値が得られてもよい。信号値ＹおよびＺについても同様である。
【００４２】
データーメモリー１２０２は、出力された信号値Ｘ，ＹおよびＺを一時記憶し、信号値Ｆを一時記憶する。
【００４３】
データー処理部１２０４は、一時記憶された信号値Ｘ，ＹおよびＺを読み出し、読み出された信号値Ｘ，ＹおよびＺから測光値および測色値を求め、求められた測光値および測色値を出力する。
【００４４】
データー処理部１２０４は、一時記憶された信号値Ｆを読み出し、読み出された信号値Ｆからフリッカーの測定の結果を求め、求められたフリッカーの測定の結果を出力する。
【００４５】
表示部１２０６は、出力された測光値および測色値を表示し、出力されたフリッカーの測定の結果を出力する。
【００４６】
これにより、データーメモリー１２０２およびデーター処理部１２０４は、信号値Ｘ，ＹおよびＺから測光値および測色値を得、信号値Ｆからフリッカーの測定の結果を得る演算部を構成する。
【００４７】
制御部１２０８には、電源部１２１０から電力が供給される。制御部１２０８は、供給された電力の一部を消費して動作し、供給された電力の一部を他の構成物に供給する。
【００４８】
制御部１２０８は、操作部１２１２に対して行われた操作を検出し、検出された操作に応じた動作が行われるように他の構成物を制御する。
【００４９】
３  受光ユニット
図３，４，５および６の各々は、この実施形態の色彩計に備えられる受光ユニットを示す模式図である。図３は、正面図である。図４，５および６は、それぞれＡ−Ａ，Ｂ−ＢおよびＣ−Ｃの切断線で示される位置における断面を示す断面図である。
【００５０】
図３，４，５および６の各々に示される受光ユニット１１０２は、拡散板１３００、受光マスク１３１０、色センシング部１３２１，１３２２，１３２３，１３２４，１３２５および１３２６、センシング部１３２７、基板１３３０ならびに受光枠１３４０を備える。受光ユニット１１０２がこれらの構成物以外の構成物を備えてもよい。拡散板１３００、受光マスク１３１０、基板１３３０ならびに受光枠１３４０の全部または一部が省略される場合もある。
【００５１】
色センシング部１３２１，１３２２，１３２３，１３２４，１３２５および１３２６は、それぞれ色フィルター１３５１，１３５２，１３５３，１３５４，１３５５および１３５６を備え、それぞれ受光センサー１３６１，１３６２，１３６３，１３６４，１３６５および１３６６を備える。
【００５２】
センシング部１３２７は、色フィルター１３５７を備え、受光センサー１３６７を備える。
【００５３】
拡散板１３００は、対物レンズ１１００により導かれてきた光を拡散し、拡散された光を生成する。
【００５４】
受光マスク１３１０は、拡散された光の一部を遮蔽し、拡散された光の一部である光線束１３７１，１３７２，１３７３，１３７４，１３７５および１３７６を通過させ、拡散された光の一部である光線束１３７７を通過させる。
【００５５】
対物レンズ１１００、拡散板１３００および受光マスク１３１０は、光線束１３７１，１３７２，１３７３，１３７４，１３７５および１３７６をそれぞれ色センシング部１３２１，１３２２，１３２３，１３２４，１３２５および１３２６に導き、光線束１３７７をセンシング部１３２７に導く測定用光学系を構成する。
【００５６】
色センシング部１３２１，１３２２，１３２３，１３２４，１３２５および１３２６は、測光値および測色値を得るために設けられ、図４，５および６に示されるようにそれぞれ光線束１３７１，１３７２，１３７３，１３７４，１３７５および１３７６を受光し、それぞれ信号Ｓ１１，Ｓ１２，Ｓ１３，Ｓ１４，Ｓ１５およびＳ１６を出力する。信号Ｓ１１，Ｓ１２，Ｓ１３，Ｓ１４，Ｓ１５およびＳ１６は、それぞれ光線束１３７１，１３７２，１３７３，１３７４，１３７５および１３７６に応じた信号である。
【００５７】
センシング部１３２７は、フリッカーの測定の結果を得るために設けられ、図５に示されるように光線束１３７７を受光し、信号Ｓ１７を出力する。信号Ｓ１７は、光線束１３７７に応じた信号である。測光および測色の結果とは別の測定の結果としてフリッカーの測定の結果以外の測定の結果が得られる場合は、センシング部１３２７はフリッカーの測定の結果以外の測定の結果を得るのに適したセンシング部に置き換えられる。
【００５８】
色フィルター１３５１，１３５２，１３５３，１３５４，１３５５および１３５６は、それぞれ光線束１３７１、１３７２，１３７３，１３７４，１３７５および１３７６を透過させ、それぞれ透過光線束１３８１、１３８２，１３８３，１３８４，１３８５および１３８６を生成する。
【００５９】
色フィルター１３５７は、光線束１３７７を透過させ、透過光線束１３８７を生成する。
【００６０】
受光センサー１３６１，１３６２，１３６３，１３６４，１３６５および１３６６は、それぞれ透過光線束１３８１、１３８２，１３８３，１３８４，１３８５および１３８６を受光し、それぞれ信号Ｓ１１，Ｓ１２，Ｓ１３，Ｓ１４，Ｓ１５およびＳ１６を出力する。信号Ｓ１１，Ｓ１２，Ｓ１３，Ｓ１４，Ｓ１５およびＳ１６は、それぞれ透過光線束１３８１、１３８２，１３８３，１３８４，１３８５および１３８６に応じた信号である。
【００６１】
受光センサー１３６７は、透過光線束１３８７を受光し、信号Ｓ１７を出力する。信号Ｓ１７は、透過光線束１３８７に応じた信号である。
【００６２】
受光センサー１３６１，１３６２，１３６３，１３６４，１３６５，１３６６および１３６７は、基板１３３０に実装される。
【００６３】
受光枠１３４０は、拡散板１３００、受光マスク１３１０ならびに色フィルター１３５１，１３５２，１３５３，１３５４，１３５５，１３５６および１３５７を保持する。
【００６４】
色フィルター１３５１および１３５２の各々は、等色関数のＸ成分に対応する分光透過率を有する。このため、色センシング部１３２１および１３２２の各々は、等色関数のＸ成分に対応する分光感度を有する。
【００６５】
色フィルター１３５３および１３５４の各々は、等色関数のＹ成分に対応する分光透過率を有する。このため、色センシング部１３２３および１３２４の各々は、等色関数のＹ成分に対応する分光感度を有する。
【００６６】
色フィルター１３５５および１３５６の各々は、等色関数のＺ成分に対応する分光透過率を有する。このため、色センシング部１３２５および１３２６の各々は、等色関数のＺ成分に対応する分光感度を有する。
【００６７】
色フィルター１３５７は、等色関数のＹ成分に対応する分光透過率を有する。このため、センシング部１３２７は、等色関数のＹ成分に対応する分光感度を有する。
【００６８】
色センシング部１３２１，１３２２，１３２３，１３２４，１３２５および１３２６は、中心軸１４００と垂直をなす受光面１３９０に配置され、中心軸１４００の周りを周る周方向１４１０に概ね均等に分散して配置され、中心軸１４００上に中心を有する円周１４２５に概ね沿って配置される。
【００６９】
色センシング部１３２１および１３２２は、対をなし、対１４３１に備えられる。色センシング部１３２３および１３２４は、対をなし、対１４３２に備えられる。色センシング部１３２５および１３２６は、対をなし、対１４３３に備えられる。色センシング部１３２２，１３２４および１３２６は、それぞれ中心軸１４００について色センシング部１３２１，１３２３および１３２５と対称に配置され、それぞれ色センシング部１３２１，１３２３および１３２５が有する分光感度と同じ分光感度を有する。中心軸１４００は、対物レンズ１１００が有する光軸１４２０と一致する。
【００７０】
配光の変動により光線束１３７１，１３７３または１３７５が減少した場合は、それぞれ光線束１３７２，１３７４または１３７６が増加する。すなわち、配光の変動により信号Ｓ１１，Ｓ１３またはＳ１５が小さくなった場合は、それぞれ信号Ｓ１２，Ｓ１４またはＳ１６が大きくなる。このことは、配光の変動により信号Ｓ２１，Ｓ２２およびＳ２３が変動することを抑制し、配光の変動により測色および測定の結果が変動することを抑制し、観察が被測定領域１０３０に正対して行われた場合に得られる測光および測色の結果と同様の測光および測色の結果を擬似的に得ることに寄与する。
【００７１】
色センシング部１３２１および１３２２の各々が等色関数のＸ成分に対応する分光感度以外の分光感度を有してもよく、色センシング部１３２３および１３２４の各々が等色関数のＹ成分に対応する分光感度以外の分光感度を有してもよく、色センシング部１３２５および１３２６の各々が等色関数のＺ成分に対応する分光感度以外の分光感度を有してもよい。ただし、この場合においても、色センシング部１３２２，１３２４および１３２６は、それぞれ色センシング部１３２１，１３２３および１３２５が有する分光感度と同じ分光感度を有する。
【００７２】
色センシング部１３２１，１３２２，１３２３，１３２４，１３２５および１３２６以外の色センシング部が追加されてもよく、対１４３１，１４３２および１４３３以外の対が追加されてもよい。追加された対においても、一方の色センシング部は、中心軸１４００について他方の色センシング部と対称に配置され、他方の色センシング部が有する分光感度と同じ分光感度を有する。より一般的には、３個以上の対の各々において、他方の色センシング部が、中心軸１４００について一方の色センシング部と対称に配置され、一方の色センシング部が有する分光感度と同じ分光感度を有する。
【００７３】
センシング部１３２７は、中心軸１４００と垂直をなす受光面１３９０に配置され、中心軸１４００上に配置される。これにより、観察が被測定面１０２０に正対して行われた場合に得られるフリッカーの測定の結果が得られる。
【００７４】
受光ユニット１１０２においては、色センシング部１３２２，１３２４または１３２６がそれぞれ中心軸１４００について色センシング１３２１，１３２３および１３２５と対称に配置され、色センシング部１３２１，１３２２，１３２３，１３２４，１３２５および１３２６の各々が受光面１３９０において面積を占めるため、色センシング部１３２１，１３２２，１３２３，１３２４，１３２５および１３２６の各々が中心軸１４００から径方向に離して配置される。色センシング部１３２１，１３２２，１３２３，１３２４，１３２５および１３２６の各々がコスト上の都合により四角形状の平面形状を有する場合が多いことも、色センシング部１３２１，１３２２，１３２３，１３２４，１３２５および１３２６が中心軸１４００から離されなければならない理由のひとつである。
【００７５】
また、色センシング部１３２１，１３２２，１３２３，１３２４，１３２５および１３２６は、対物レンズ１１００の照射径１４４０に収まるように配置される。
【００７６】
これらのことから、受光面１３９０には、対物レンズ１１００の照射径１４４０に収まるにも関わらず色センシング部１３２１，１３２２，１３２３，１３２４，１３２５および１３２６が配置されない領域１４５０が中心軸１４００の付近に存在する。しかし、等色関数のＸ成分に対応する分光感度を有する色センシング部、等色関数のＹ成分に対応する分光感度を有する色センシング部および等色関数のＺ成分に対応する分光感度を有する色センシング部の組を領域１４５０に配置することは困難である。そこで、領域１４５０には、センシング部１３２７が配置される。これにより、フリッカーの測定の結果を得るために備えられるセンシング部１３２７に光線束１３７７を導くために照射径１４４０を大きくする必要がなく、色彩計１０００を大きくすることなくフリッカーの測定の結果が得られる。
【００７７】
４  増幅回路
図７は、受光センサーと増幅回路との電気的接続を示す回路図である。
【００７８】
図７に示されるように、増幅回路１１２１，１１２２および１１２３の各々は、オペアンプを用いた積分回路であり、増幅回路１１２４は、オペアンプを用いた電流／電圧変換回路（トランスインピーダンス回路）である。フリッカーの測定においてはサンプリングレートが高いことが望まれるので、信号Ｓ１７を増幅する増幅回路１１２４は、増幅回路１２２１，１２２２および１２２３の各々のような積分回路ではなく、応答性が良好な電流／電圧変換回路となっている。これにより、フリッカーの測定を短時間で精度良く行うことができる。測光および測色の結果とは別の測定の結果としてフリッカーの測定の結果以外の測定の結果が得られる場合は、増幅回路１１２４はフリッカーの測定の結果以外の測定の結果を得るのに適した増幅回路に置き換えられる。
【００７９】
５  出射角
以下では、対物レンズ１１００が薄レンズであり、対物レンズ１１００において物体側主点と像側主点とが一致しているとする。
【００８０】
図８および９の各々は、測定用光学系における光線の軌跡を示す模式図である。
【００８１】
図８および９の各々に示される測定用光学系１４３０においては、像側主点１５００が、中心光線１５１０が進む方向１５２０に被測定領域１０３０から離され、被測定領域１０３０から像側主点１５００までは、距離ｆだけ離れている。また、受光面１３９０が、中心光線１５１０が進む方向１５２０に像側主点１５００から離され、像側主点１５００から受光面１３９０までは、距離ｆだけ離れている。したがって、測定用光学系１４３０は、テレセントリック光学系である。受光ユニット１１０２は、テレセントリック光学系用の絞りとして機能する。
【００８２】
図８に示されるように、被測定領域１０３０の各点から出射角がαとなる方向に出射する光線１５３０は、色センシング部１３２１，１３２２，１３２３，１３２４，１３２５および１３２６が配置されるリング状の領域１５４０の外周１５５０に到達する。また、図９に示されるように、被測定領域１０３０から出射角がβとなる方向に出射する光線１５３２は、リング状の領域１５４０の内周１５５２に到達する。したがって、色センシング部１３２１，１３２２，１３２３，１３２４，１３２５および１３２６が受光できる光線束は、出射角がβ以上α以下となる方向に出射する光線束である。αおよびβは、対物レンズ１１００の焦点距離および受光ユニット１１０２の構成により調整できる。そして、αおよびβを適切に調整することにより、受光できる光線束の出射角を適切に制限できる。これにより、測定誤差を減らし、再現性の高い測定の結果を精度よく得られるようになる。
【００８３】
６  変形例
図１０および１１の各々は、受光ユニットの変形例を示す模式図である。図１０は、正面図である。図１１は、Ｄ−Ｄの切断線で示される位置における断面図である。
【００８４】
図１０および１１の各々に示される受光ユニットは、色フィルター１３５３，１３５４および１３５７が、一体化された色フィルター２０００に置き換えられている点で受光ユニット１１０２と相違する。これが可能になるのは、色センシング部１３２３，１３２４および１３２７が直線配列されているからである。これにより、色フィルターを固定するための構成物を減らすことができ、受光ユニットの組み立てが容易になり、受光ユニットのコストを低下させることができ、受光ユニットを小さくすることができる。受光ユニットを小さくすることは、照射径を小さくすることに寄与し、色彩計を小さくすることに寄与する。
【００８５】
上記の発明の詳細な説明は、全ての局面において例示であって限定的ではない。したがって、本発明の範囲からはずれることなく無数の修正及び変形が案出されうる。
【符号の説明】
【００８６】
１０００  色彩計
１３２１，１３２２，１３２３，１３２４，１３２５，１３２６  色センシング部
１３２７  センシング部
１３５１，１３５２，１３５３，１３５４，１３５５，１３５６，１３５７  色フィルター
１３６１，１３６２，１３６３，１３６４，１３６５，１３６６，１３６７  受光センサー
【図１】
0006682896.tif 000002
【図２】
0006682896.tif 000003
【図３】
0006682896.tif 000004
【図４】
0006682896.tif 000005
【図５】
0006682896.tif 000006
【図６】
0006682896.tif 000007
【図７】
0006682896.tif 000008
【図８】
0006682896.tif 000009
【図９】
0006682896.tif 000010
【図１０】
0006682896.tif 000011
【図１１】
0006682896.tif 000012